(57)【要約】  本発明は、医薬品の２つ以上の成分（８）を混合するための薬剤容器システム（２１）に関し、そのようなシステムにおいて使用される容器用充てん済みインサート（１７）に関する。一実施の形態の容器用充てん済みインサート（１７）は、壁（２）と、底部（３）と、固体の成分（８）を受け入れるための開いた上部（４）とを有している成型による容器ケーシング（１）、成型による容器ケーシング（１）の開いた上部（４）を封じるための弾性ストッパ（９）、および成型による容器ケーシング（１）の底部の外周の弱体化リム（５）によって形成された底部ディスク（３）を備えている。弾性ストッパ（９）を貫いてスパイク（２０）を導入することによって前記底部ディスク（３）に押し込みの力を加え、該力によって弱体化リム（５）を破って容器（１７）を開くことで、充てん済みの固体の成分（８）を薬剤容器システム（２１）の希釈用流体と混合できるように底部ディスク（３）を開くことができる。さらなる実施の形態の容器用充てん済みインサート（１７）は、壁（２）と、底部（３）と、開放型の内側シリンダ（３０）および固体の成分（８）を受け入れるための開いた上部（４）とを有している成型による容器ケーシング（１）、成型による容器ケーシング（１）の開いた上部（４）を封じるための弾性ストッパ（９）、および成型による容器ケーシング（１）の底部の外周の弱体化リム（５）によって形成された底部ディスク（３）を備えている。成型による容器の上部へと押し込みの力を加えることで、ケーシング（１）を圧縮するとともに内側シリンダ（３０）を底部ディスク（３）に押し付けることにより、該力によって弱体化リム（５）を破って容器用インサート（１７）を開くことで、充てん済みの固体の成分（８）を薬剤容器システム（２１）の希釈用流体と混合できるように底部ディスク（３）を開くことができる。
2011530377.tif 000002
【特許請求の範囲】
【請求項１】
医薬品の２つ以上の成分を混合するために薬剤容器システムにおいて使用するための容器用充てん済みインサートであって、
・壁と、底部と、固体の成分を受け入れるための開いた上部とを有している成型による容器ケーシング、
・前記成型による容器ケーシングの開いた上部を封じるための弾性ストッパ、および
・前記成型による容器ケーシングの底部の外周の弱体化リムによって形成された底部ディスク
を備えており、
前記弾性ストッパを貫いてスパイクを導入することによって前記底部ディスクに押し込みの力を加え、該力によって前記弱体化リムを破って当該容器用インサートを開くことで、前記充てん済みの固体の成分を前記薬剤容器システムの希釈用流体と混合できるように前記底部ディスクを開くことができる容器用充てん済みインサート。
【請求項２】
医薬品の２つ以上の成分を混合するために薬剤容器システムにおいて使用するための容器用充てん済みインサートであって、
・壁と、底部と、開放型の内側シリンダおよび固体の成分を受け入れるための開いた上部とを有している成型による容器ケーシング、
・前記成型による容器ケーシングの開いた上部を封じるための弾性ストッパ、および
・前記成型による容器ケーシングの底部の外周の弱体化リムによって形成された底部ディスク
を備えており、
前記成型による容器の上部へと押し込みの力を加えることで、前記ケーシングを圧縮するとともに前記内側シリンダを前記底部ディスクに向かって押すことにより、該力によって前記弱体化リムを破って当該容器用インサートを開くことで、前記充てん済みの固体の成分を前記薬剤容器システムの希釈用流体と混合できるように前記底部ディスクを開くことができる容器用充てん済みインサート。
【請求項３】
前記成型による容器ケーシングが、ベローズ状の容器用インサートを形成するひだ状の側壁を有している請求項２に記載の容器用充てん済みインサート。
【請求項４】
前記底部ディスクの弱体化リムが、前記容器ケーシングの底部の外周を巡って配置され、該弱体化リムが破られて前記容器が開かれるときに前記底部ディスクが前記容器ケーシングにつながったままであるようにヒンジ式のディスクを形成している請求項１〜３のいずれか一項に記載の容器用充てん済みインサート。
【請求項５】
前記弾性ストッパが、前記上部の開口を気密に封じるべくクランプリングによって所定の位置に固定される請求項１〜４のいずれか一項に記載の容器用充てん済みインサート。
【請求項６】
前記底部ディスクが、水分遮断ホイルによって覆われる請求項１〜５のいずれか一項に記載の容器用充てん済みインサート。
【請求項７】
前記弾性ストッパが、水分遮断ホイルによって覆われる請求項１〜６のいずれか一項に記載の容器用充てん済みインサート。
【請求項８】
成形同時充てん（ＢＦＳ）容器の上部へと無菌に取り付けられて多室の薬剤容器システムを形成する請求項１〜７のいずれか一項に記載の容器用充てん済みインサート。
【請求項９】
多室の薬剤送出システムがもたらされるよう、送出機構を取り付けることができる容器へと無菌に取り付けられる請求項１〜８のいずれか一項に記載の容器用充てん済みインサート。
【請求項１０】
前記送出機構が、経鼻の送出用部品、好ましくはスプレーまたはスポイトなどを備えている請求項９に記載の容器用充てん済みインサート。
【請求項１１】
医薬品の２つ以上の成分を混合するための薬剤容器システムであって、
・希釈用液体を含んでいる第１の容器と、
・前記第１の容器の上部へと無菌に取り付けられる第２の容器用インサートと
を備えており、
前記第２の容器が、
・固体の成分を受け入れるための成型による容器ケーシング、
・前記成型による容器ケーシングの開いた上部を封じるための弾性ストッパ、および
・前記成型による容器ケーシングの底部の外周の弱体化リムによって形成された底部ディスク
を備えており、
前記弾性ストッパを貫いてスパイクを導入することによって前記底部ディスクに押し込みの力を加え、該力によって前記弱体化リムを破って前記容器を開くことで、前記充てん済みの固体の成分を当該薬剤容器システムの希釈用流体と混合できるように前記底部ディスクを開くことができる薬剤容器システム。
【請求項１２】
医薬品の２つ以上の成分を混合するための薬剤容器システムであって、
・希釈用液体を含んでいる第１の容器と、
・前記第１の容器の上部へと無菌に取り付けられる第２の容器用インサートと
を備えており、
前記第２の容器が、
・壁と、底部と、開放型の内側シリンダおよび固体の成分を受け入れるための開いた上部とを有している成型による容器ケーシング、
・前記成型による容器ケーシングの開いた上部を封じるための弾性ストッパ、および
・前記成型による容器ケーシングの底部の外周の弱体化リムによって形成された底部ディスク
を備えており、
前記成型による容器の上部へと押し込みの力を加えることで、前記ケーシングを圧縮するとともに前記内側シリンダを前記底部ディスクに向かって押すことにより、該力によって前記弱体化リムを破って前記容器用インサートを開くことで、前記充てん済みの固体の成分を当該薬剤容器システムの希釈用流体と混合できるように前記底部ディスクを開くことができる薬剤容器システム。
【発明の詳細な説明】
【技術分野】
【０００１】
本発明は、医薬品の２つ以上の成分を混合するための多室の薬剤容器システムに関し、さらに詳しくは、そのようなシステムにおいて使用される容器用充てん済みインサートに関する。
【背景技術】
【０００２】
固体の原薬（ＡＰＩ）または製剤は、一般に、より良好な保管寿命を有しており、すなわち同じ化合物の溶液（または、分散液／乳濁液）に比べて劣化の速度が遅い。したがって、医薬品の保管寿命を実用的な長さ（典型的には、少なくとも１８〜２４ヵ月）へと延ばすために、乾燥粉末を使用する（例えば、医薬品を凍結乾燥または吹き付け乾燥させる）ことが一般的である。使用時に、そのような固体の製品を、通常は経口または非経口の経路を介し、あるいは鼻からの送入によって患者へと投与できるようにするために、適切な溶媒に溶解させなければならない。固体の溶媒への溶解は、典型的には、溶媒をシリンジを使用して薬瓶または袋から移すことによって行われる。そのようなプロセスは、病院の職員にとって標準的な行為であるが、針の穿刺による負傷の恐れなく、あるいは製品の無菌状態すなわち患者の安全性を損なう恐れなく、安全かつ効率的なやり方で実行するためには、訓練および技量が必要である。
【０００３】
日本国の特許抄録ＪＰ２００００３７４４１Ａが、固体薬剤保管部を液体溶液容器へと接続して有している注入容器システムに関係している。固体薬剤保管部を溶液容器側へと押し、仕切り部材を開いてシール部から移動させることによって、２つの容器の間に流体連通路が確立される。固体薬剤保管容器および溶液容器を自由に通過できるように開いた後で、輸液容器の全体を揺することによって、固体の薬剤が液体の溶液に溶解する。今や溶液を患者へと投与できる状態であり、穿刺針が、固体薬剤保管容器の上部に設けられた輸液取り出し接続部へと導入される。この装置の欠点は、複数の部品からなり、複数の製造工程を伴う複雑な構成の固体薬剤保管部が必要である点にある。さらなる欠点は、溶液が患者へと投与可能になるまでに、２つの段階を実行する必要があり、すなわち最初に２つの成分の混合を可能にし、次いで例えば輸液セットを接続するために針を導入しなければならない点にある。
【発明の概要】
【発明が解決しようとする課題】
【０００４】
本発明の目的は、少なくとも好ましい実施の形態において、病院の職員および患者にとっての危険が最小限である簡単、効果的、かつ直感的な手順を使用して医薬品の２つ以上の成分（例えば、固体および溶媒あるいは２つの異なる液体）の混合が行われる容器システムを提供することにある。
【０００５】
本発明のさらなる目的は、少なくとも好ましい実施の形態において、必要な部品および製造工程が少ない構成を有する成形同時充てん（ＢＦＳ：blow-fill-seal）設備に関連して使用されるロバストな考え方を提供することにある。
【課題を解決するための手段】
【０００６】
本発明によれば、少なくとも第１の幅広い態様から、医薬品の２つ以上の成分を混合するための薬剤容器システムにおいて使用される容器用充てん済み（pre-filled）インサートが提供される。この容器用充てん済みインサートは、
・壁と、底部と、固体の成分を受け入れるための開いた上部とを有している成型による（moulded）容器ケーシング、
・成型による容器ケーシングの開いた上部を封じるための弾性ストッパ、および
・成型による容器ケーシングの底部の外周の弱体化リム（weakening rim）によって形成された底部ディスク
を備えており、
弾性ストッパを貫いてスパイクを導入することによって底部ディスクに押し込みの力を加え、該力によって弱体化リムを破って当該容器用インサートを開くことで、充てん済みの固体の成分を薬剤容器システムの希釈用流体と混合できるように底部ディスクを開くことができる。
【０００７】
本発明によれば、少なくともさらなる幅広い態様から、医薬品の２つ以上の成分を混合するための薬剤容器システムにおいて使用される容器用充てん済みインサートが提供される。この容器用充てん済みインサートが、
・壁と、底部と、開放型の内側シリンダおよび固体の成分を受け入れるための開いた上部とを有している成型による容器ケーシング、
・成型による容器ケーシングの開いた上部を封じるための弾性ストッパ、および
・成型による容器ケーシングの底部の外周の弱体化リムによって形成された底部ディスク
を備えており、
成型による容器の上部へと押し込みの力を加えることで、ケーシングを圧縮するとともに内側シリンダを底部ディスクに向かって押すことにより、該力によって弱体化リムを破って容器用インサートを開くことで、充てん済みの固体の成分を薬剤容器システムの希釈用流体と混合できるように底部ディスクを開くことができる。
【０００８】
本発明の好ましい実施の形態の利点は、最小限の部品から構成されると同時に、効率的かつロバストな構成を有している容器用充てん済みインサートがもたらされる点にある。本発明の好ましい実施の形態のさらなる利点は、インサートおよび液体容器の中身の混合をもたらすために容易に開くことができる容器用充てん済みインサートがもたらされる点にある。またさらなる利点は、容器用充てん済みインサートを別の装置として製造し、さまざまな種類の成形同時充てん容器へと組み込んで、多室の薬剤容器システムを形成できる点にある。さらに別の利点は、この別の装置を、希釈剤の容器へと実際に取り付ける後続の単位作業に先立って、制御された条件下で、無菌にて充てん、封止、および処理（例えば、最終的な殺菌）できる点にある。
【０００９】
本発明の好ましい実施の形態によれば、底部ディスクの弱体化リムが、容器ケーシングの底部の外周を巡って配置され、弱体化リムが破られて容器が開かれるときに底部ディスクが容器ケーシングにつながったままであるようにヒンジ式のディスクを形成している。
【００１０】
このようにして、容器用充てん済みインサートを開いた後の底部ディスクの希釈剤容器への落下が防止される。
【００１１】
本発明の好ましい実施の形態によれば、弾性ストッパが、上部の開口を気密に封じるべくクランプリングによって所定の位置に固定される。
【００１２】
クランプリングが、弾性ストッパを容器ケーシングの開いた上部に係止および固定し、成型によるケーシングが気密に封じられる。
【００１３】
本発明の好ましい実施の形態によれば、底部ディスクが、水分遮断ホイルによって覆われる。
【００１４】
本発明の好ましい実施の形態によれば、弾性ストッパが、水分遮断ホイルによって覆われる。
【００１５】
容器用インサートを下側および弾性的な上側の両方において水分遮断ホイルで覆うことによって、充てんされた中身が、外部の環境（すなわち、光、水分、および／または酸素）からの最大限の保護を有する。
【００１６】
本発明の好ましい実施の形態によれば、容器用充てん済みインサートが、ＢＦＳ容器の上部へと無菌に取り付けられて多室の薬剤容器システムを形成する。
【００１７】
本発明の好ましい実施の形態によれば、成型による容器ケーシングが、ベローズ状の容器用インサートを形成するひだ状の側壁を有している。
【００１８】
容器ケーシングをベローズ状の容器として形成することによって、容易に変形させることができるケーシングが、ただ１つの部品にて形成される。
【００１９】
本発明の好ましい実施の形態によれば、容器用充てん済みインサートを、経鼻の送入システムなどの１つ以上の送入システムとともに使用することができる。好ましくは、容器用充てん済みインサートを、例えば標準的な経鼻の送入機構（経鼻スプレーなど）へと接続でき、そのような送入機構の内部に接続でき、あるいは他のやり方でそのような送入機構に取り入れることができる。
【００２０】
本発明の好ましい実施の形態によれば、医薬品の２つ以上の成分を混合するための薬剤容器システムであって、
・希釈用液体を含んでいる第１の容器と、
・第１の容器の上部へと無菌に取り付けられる第２の容器用インサートと
を備えており、
第２の容器が、
・固体の成分を受け入れるための成型による容器ケーシング、
・成型による容器ケーシングの開いた上部を封じるための弾性ストッパ、および
・成型による容器ケーシングの底部の外周の弱体化リムによって形成された底部ディスク
を備えており、
弾性ストッパを貫いてスパイクを導入することによって底部ディスクに押し込みの力を加え、該力によって弱体化リムを破って容器用インサートを開くことで、充てん済みの固体の成分を薬剤容器システムの希釈用流体と混合できるように底部ディスクを開くことができる薬剤容器システムが提供される。
【００２１】
本発明の好ましい実施の形態によれば、医薬品の２つ以上の成分を混合するための薬剤容器システムであって、
・希釈用液体を含んでいる第１の容器と、
・第１の容器の上部へと無菌に取り付けられる第２の容器用インサートと
を備えており、
第２の容器が、
・壁と、底部と、開放型の内側シリンダおよび固体の成分を受け入れるための開いた上部とを有している成型による容器ケーシング、
・成型による容器ケーシングの開いた上部を封じるための弾性ストッパ、および
・成型による容器ケーシングの底部の外周の弱体化リムによって形成された底部ディスク
を備えており、
成型による容器の上部へと押し込みの力を加えることで、ケーシングを圧縮するとともに内側シリンダを底部ディスクに向かって押すことにより、該力によって弱体化リムを破って容器用インサートを開くことで、充てん済みの固体の成分を当該薬剤容器システムの希釈用流体と混合できるように底部ディスクを開くことができる薬剤容器システムが提供される。
【００２２】
静脈注射（ＩＶ）容器を準備する看護師にとって標準的な手順は、注入の開始に先立ってＩＶ容器を視覚的に検査し、一部の手順においてはスパイクで貫くことである。したがって、本発明の実施の形態による薬剤容器システムを使用しても、標準的な作業手順に変更はない。好ましい実施の形態においては、単に容器の上部を押すことによって混合を可能にし、次いで視覚的な検査によって完全な混合作業を確認することで、簡単かつ直感的な手順が得られる。加えて、皮下注射針を用いる別途の混合工程が不要であり、針の突き刺しによる負傷の恐れが取り除かれる。混合が、固体および液体の室がどちらも気密に封じられた同じ容器の一部であるため、微生物による汚染の恐れなく行われる。他の実施の形態においては、同様の工程が、容器と容器に取り付けられるスプレーまたは他の経鼻の送入機構を典型的には備えている経鼻スプレーなどの経鼻の送入装置を準備するために実行される。
【００２３】
医薬品の２つ以上の成分を混合するための多室の薬剤容器システムによる投与に適しており、より詳しくは本発明の容器用インサートへの充てんに適している薬剤として、例えばプロトンポンプ阻害薬、例えばオメプラゾール、抗ガン薬、抗生物質、免疫薬、ワクチン、抗ウイルス薬、ポリペプチドおよびペプチド、例えばペプチドホルモンおよび成長因子、ポリペプチドワクチン、酵素エンドルフィン、リポたんぱく質、および血液凝固カスケードに関与するポリペプチドが挙げられる。
【００２４】
次に、本発明を、例示の目的で、実施の形態によって、添付の図面を参照してさらに詳しく説明する。
【図面の簡単な説明】
【００２５】
【図１ａ】本発明の好ましい実施の形態による容器用充てん済みインサートの製造の各段階を概略的に示している。
【図１ｂ】本発明の好ましい実施の形態による容器用充てん済みインサートの製造の各段階を概略的に示している。
【図１ｃ】本発明の好ましい実施の形態による容器用充てん済みインサートの製造の各段階を概略的に示している。
【図１ｄ】本発明の好ましい実施の形態による容器用充てん済みインサートの製造の各段階を概略的に示している。
【図１ｅ】本発明の好ましい実施の形態による容器用充てん済みインサートの製造の各段階を概略的に示している。
【図１ｆ】本発明の好ましい実施の形態による容器用充てん済みインサートの製造の各段階を概略的に示している。
【図１ｇ】本発明の好ましい実施の形態による容器用充てん済みインサートの製造の各段階を概略的に示している。
【図２ａ】容器用充てん済みインサートの開放の手順を概略的に示している。
【図２ｂ】容器用充てん済みインサートの開放の手順を概略的に示している。
【図３ａ】医薬品の２つ以上の成分を混合するための薬剤容器システムであって、希釈用の液体で満たされたＢＦＳ容器と該容器へと封じられた充てん済みのインサートとで構成される薬剤容器システムを示している。
【図３ｂ】医薬品の２つ以上の成分を混合するための薬剤容器システムであって、希釈用の液体で満たされたＢＦＳ容器と該容器へと封じられた充てん済みのインサートとで構成される薬剤容器システムを示している。
【図３ｃ】医薬品の２つ以上の成分を混合するための薬剤容器システムであって、希釈用の液体で満たされたＢＦＳ容器と該容器へと封じられた充てん済みのインサートとで構成される薬剤容器システムを示している。
【図３ｄ】医薬品の２つ以上の成分を混合するための薬剤容器システムであって、希釈用の液体で満たされたＢＦＳ容器と該容器へと封じられた充てん済みのインサートとで構成される薬剤容器システムを示している。
【図４ａ】本発明の好ましい実施の形態によるさらなる容器用充てん済みインサートの製造の各段階を概略的に示している。
【図４ｂ】本発明の好ましい実施の形態によるさらなる容器用充てん済みインサートの製造の各段階を概略的に示している。
【図４ｃ】本発明の好ましい実施の形態によるさらなる容器用充てん済みインサートの製造の各段階を概略的に示している。
【図４ｄ】本発明の好ましい実施の形態によるさらなる容器用充てん済みインサートの製造の各段階を概略的に示している。
【図４ｅ】本発明の好ましい実施の形態によるさらなる容器用充てん済みインサートの製造の各段階を概略的に示している。
【図４ｆ】本発明の好ましい実施の形態によるさらなる容器用充てん済みインサートの製造の各段階を概略的に示している。
【図４ｇ】本発明の好ましい実施の形態によるさらなる容器用充てん済みインサートの製造の各段階を概略的に示している。
【図４ｈ】本発明の好ましい実施の形態によるさらなる容器用充てん済みインサートの製造の各段階を概略的に示している。
【図５ａ】図４ａ〜４ｈの容器用充てん済みインサートの開放の手順を概略的に示している。
【図５ｂ】図４ａ〜４ｈの容器用充てん済みインサートの開放の手順を概略的に示している。
【図５ｃ】図４ａ〜４ｈの容器用充てん済みインサートの開放の手順を概略的に示している。
【図６ａ】医薬品の２つ以上の成分を混合するための薬剤容器システムであって、希釈用の液体で満たされたＢＦＳ容器と該容器へと封じられた充てん済みインサートとで構成される薬剤容器システムを示している。
【図６ｂ】医薬品の２つ以上の成分を混合するための薬剤容器システムであって、希釈用の液体で満たされたＢＦＳ容器と該容器へと封じられた充てん済みインサートとで構成される薬剤容器システムを示している。
【図６ｃ】医薬品の２つ以上の成分を混合するための薬剤容器システムであって、希釈用の液体で満たされたＢＦＳ容器と該容器へと封じられた充てん済みインサートとで構成される薬剤容器システムを示している。
【図６ｄ】医薬品の２つ以上の成分を混合するための薬剤容器システムであって、希釈用の液体で満たされたＢＦＳ容器と該容器へと封じられた充てん済みインサートとで構成される薬剤容器システムを示している。
【発明を実施するための形態】
【００２６】
図１ａ〜１ｇおよび４ａ〜４ｈは、容器用充てん済みインサートをどのように製造できるのかを、概略的に示している。例えば射出成型によって別個に製造される容器用インサートは、例えば光、水分、または酸素に影響されやすい化合物において高いバリア性を付与することが必要な場合には高いバリア性のエンジニアリングプラスチックなど、任意の種類の熱可塑性材料を使用することができる。
【００２７】
図１ａは、壁２と、底部３と、薬剤成分を受け入れるための開いた上部４とを有している成型による容器ケーシング１を示している。例えば射出成型を使用して製作される容器ケーシング１は、好ましくは円筒形の形状を有しており、底部３が、底部の外周に適切な弱体化リム５を有している。弱体化リム５は、充てん済みのインサートと液体容器との間で物質を移動させることができるよう、底部ディスク３を押し開くことを可能にする。好ましくは、弱体化リムのわずかな部分が、より厚いままに保たれ、底部ディスク３が開放時に固体容器から完全に離れてしまうことがないようにするヒンジ６として機能する。
【００２８】
容器用インサートの水分または気体の遮断をさらに補って、中身を保護するために、バリアホイル７（例えば、アルミニウム箔）を、図１ｂに見て取ることができるように、底部ディスク３を覆うように使用することができる。
【００２９】
図１ｃにおいて、成型された容器ケーシングが、明確な清浄環境において中身８、粉末、または他の適切な固体（あるいは、半固体）で満たされる（例えば、アイソレータまたは他の適切な単一方向の気流フード（ＵＤＦ）における無菌充てん）。図面には示されていない本発明の別の態様によれば、成型された容器ケーシングが、注入に先立って希釈剤と混ぜ合わせられる半固体の中身または液体で満たされる。
【００３０】
図１ｄ、１ｅ、および１ｆが、どのようにして容器用インサートが弾性ストッパ９（例えば、標準的なゴム製ストッパまたは熱可塑性エラストマ（ＴＰＥ）部品）を使用して気密に封じられるのかを示しており、弾性ストッパ９が、開いた上部を通って取り付けられ、ストッパ９の安全かつ密着した固定を保証すべく、クランプリング１０によって固定されている。図１ｇに示されるとおり、バリアホイル１５、すなわちアルミニウム箔を、充てん済みの容器用インサート１７の水分または気体の遮断をさらに補うために、弾性ストッパ９およびクランプリング１０を覆うように使用することができる。クランプリング１０の開いた中央部が、弾性ストッパの円形領域を露わにしており、この円形領域において、スパイク（または、穿刺針）をストッパを貫いて進入させることができる。充てん済みの容器用インサート１７を、その場で殺菌することができ、あるいは充てん／閉鎖後の別の工程において、電子ビームまたはガンマ線照射などの標準的な方法を使用して殺菌することができる。次いで、このような無菌の充てん済み容器用インサートを、成形同時充てん容器または他の適切な液体プラスチック容器への取り付けのために、適切な標準の液体充てんラインへと運ぶことができる。容器は、好ましくは適切な液体を収容する経鼻送入装置の構成要素を含むことができる。
【００３１】
図２ａが、どのようにしてスパイク２０が充てん済みの容器用インサートの弾性ストッパ９を貫いて押し込まれるのかを概略的に示しており、図２ｂには、どのようにしてスパイク２０からの押し込みの力が底部の外周の弱体化リム５（および、バリアホイル７）を破り、充てん済みの容器用インサートの中身８が容器から放出されるのかが概略的に示されている。
【００３２】
図３ａが、本発明による充てん済みの容器用インサート１７が成形同時充てん容器２２の上部へと取り付けられている薬剤容器システム２１の実施の形態を示している。図３ａ〜３ｄの実施の形態において、システム２１は、薬剤の静脈への送入に適した手段を備えているが、システムは、経鼻の送入機構（例えば、容器へと接続されるスプレーまたはスポイト）とともに使用される容器（例えば、瓶、薬瓶、または管）など、任意の他の適切な薬剤システムを備えることができる。中身８で満たされた図３ａの実施の形態の充てん済みの容器用インサート１７が、成形同時充てんの液体容器へと入れられ、図３ｂに示されるように、充てん済みの容器の上部が、成形同時充てん容器２２のねじって外す上部２３を開くことによってユーザへと露出される。好ましい実施の形態においては、やはり図３ｂに示されているように、水分遮断シール１５が、上部を覆っており、すなわちねじって外す上部２３の下方の充てん済み容器の弾性ストッパ９を覆っている。水分遮断シール１５を取り除いた後で、今や充てん済みの容器用インサート１７の中身８を、成形同時充てん容器２２の希釈用流体と混合することができる。図３ｃが、どのようにしてスパイク２０が弾性ストッパ９を穿刺して、充てん済み容器１７へと進入するのかを示している。スパイク２０からの押し込み力が、底部ディスク３に作用し、ディスクの外周の弱体化リム５が破れる。ディスク３の成形同時充てん容器２２の中への落下は、底部ディスクを容器用インサートの壁２へと接続しているヒンジ６によって防止される。今や充てん済みの容器の中身を、容器を穏やかに揺することによって成形同時充てん容器の希釈用流体と混ぜ合わせることができる。図３ｄにおいて、物質を患者へと投与する際に容器システムを患者の近くにぶら下げることができるよう、底部のフラップ２５が引き起こされる。図面には示されていない本発明の別の態様によれば、充てん済みの容器用インサートを、希釈用の液体で満たされた可撓バッグの壁に溶接することができる。
【００３３】
図４ａが、本発明の別の実施の形態を示している。図１〜３の実施の形態の構成要素と同様の構成要素を指し示すために、同様の参照番号が使用されている。成型による容器ケーシング１が、壁２と、底部３と、薬剤成分を受け入れるための開いた上部４とを有している。例えば射出成型を使用して製作される容器ケーシング１は、好ましくは円筒形の形状を有しており、容器ケーシングがベローズの形態を有するよう、壁２がひだ状である点で、先の実施の形態から相違している。底部３が、底部の外周に適切な弱体化リム５を有している。好ましくは、弱体化リムのわずかな部分が、より厚いままに保たれ、底部ディスク３が開放時に固体容器から完全に離れてしまうことがないようにするヒンジ６として機能する。容器用インサートの水分または気体の遮断をさらに補って、中身を保護するために、バリアホイル７（例えば、アルミニウム箔）を、図４ｂに見て取ることができるように、底部ディスク３を覆うように使用することができる。
【００３４】
図４ｃにおいて、内側シリンダ３０が、成型された容器ケーシングの内側に配置され、次いで、図４ｄに示されるように、容器の壁の内側に配置された内側シリンダが、明確な清浄環境において中身８、粉末、または他の適切な固体（あるいは、半固体）で満たされる（例えば、アイソレータまたは他の適切な単一方向の気流フード（ＵＤＦ）における無菌充てん）。図面には示されていない本発明の別の態様によれば、内側シリンダが容器とともに、注入に先立って希釈剤と混ぜ合わせられる半固体の中身または液体で満たされる。弱体化リム５が、充てん済みのインサートと液体容器との間で物質を移動させることができるよう、内側シリンダ３０を使用して底部ディスク３を押し開くことを可能にする。内側シリンダ３０は、先細りであり、外周に沿った弱体化リムのヒンジ部に直接対向する位置を先細りの端部によって最初に押すように、弱体化リムに対して向けられている。
【００３５】
図４ｅおよび４ｆが、どのようにして容器用インサートが弾性ストッパ９（例えば、標準的なゴム製ストッパまたは熱可塑性エラストマ（ＴＰＥ）部品）を使用して気密に封じられるのかを示しており、弾性ストッパ９が、開いた上部を通って取り付けられ、ストッパ９の安全かつ密着した固定を保証すべく、クランプリング１０によって固定されている。図４ｈに示されるとおり、バリアホイル１５、すなわちアルミニウム箔を、充てん済みの容器用インサート１７の水分または気体の遮断をさらに補うために、弾性ストッパ９およびクランプリング１０を覆うように使用することができる。あるいは、アルミニウム箔が、標準的な不正開封防止シールで置き換えられる。クランプリング１０の開いた中央部が、弾性ストッパの円形領域を露わにしており、この円形領域において、スパイク（または、穿刺針）をストッパを貫いて進入させることができる。充てん済みの容器用インサート１７を、電子ビームまたはガンマ線照射などの標準的な方法を使用して、その場で（充てん時に）殺菌することができ、あるいは充てん／閉鎖後の別の工程において殺菌することができる。次いで、このような無菌の充てん済み容器用インサートを、成形同時充てん容器または他の適切な液体プラスチック容器への取り付けのために、適切な標準の液体充てんラインへと運ぶことができる。
【００３６】
図５ａが、どのようにして押し込みの力がベローズ状の容器用インサート１７の上部へと加えられ、どのように押し込みの力が容器用インサートの壁２を圧縮するのかを、概略的に示している。図５ｂにおいて、内側シリンダ３０が底部３を押し、底部の外周の弱体化リム５（および、バリアホイル７）を破いており、充てん済みの容器用インサートの中身８が容器から放出され、希釈用の流体（図示されていない）と混ざり合う。図５ｃにおいて、スパイク２０がゴム製のストッパ９を貫いて導入され、容器をすぐに患者へと投与できる状態にしている。
【００３７】
図６ａが、本発明による充てん済みの容器用インサート１７が成形同時充てん容器２２の上部へと取り付けられている薬剤容器システム２１の実施の形態を示している。上述したように、システムは、経鼻の送入機構とともに使用される容器など、任意の他の適切な薬剤システムを備えることができる。中身８で満たされた充てん済みの容器用インサート１７が、成形同時充てんの液体容器へと入れられ、図６ｂに示されるように、充てん済みの容器の上部が、成形同時充てん容器２２のねじって外す上部２３を開くことによってユーザへと露出される。好ましい実施の形態においては、やはり図６ｂに示されているように、水分遮断シール１５が、上部を覆っており、すなわちねじって外す上部２３の下方の充てん済み容器の弾性ストッパ９を覆っている。ねじって外す上部を取り除いた後で、今や充てん済みの容器用インサート１７の中身８を、成形同時充てん容器２２の希釈用流体と混合することができる。図６ｃが、どのようにベローズ状のインサートの壁２が圧縮されるのかを示している。押し込みの力によって、内側シリンダ３０が底部ディスク３の外周の弱体化リム５を破り、リムが破られる。ディスク３の成形同時充てん容器２２の中への落下は、底部ディスクを容器用インサートの壁２へと接続しているヒンジ６によって防止される。今や充てん済みの容器の中身を、容器を穏やかに揺することによって成形同時充てん容器の希釈用流体と混ぜ合わせることができる。中身の完全な混合を保証するための視覚による検査および粒子の非存在の確認の後で、水分遮断シール（または、不正開封防止シール）を取り除くことができる。スパイク２０（または、穿刺針）をストッパ９を貫いて導入して、容器を患者への投与に備えて準備することができる。図面には示されていない本発明の別の態様によれば、充てん済みの容器用インサートを、希釈用の液体で満たされた可撓バッグの壁に溶接することができる。
【００３８】
上述の静脈注射の実施例において固体容器および液体容器の中身を混合するために、ユーザ（典型的には、看護師）は、静脈注射（すなわち、ＩＶ注入）における通常の作業手順を採用する。図１〜３に示したような本発明の実施の形態によるシステムの好ましい使用を、以下で時系列的に説明する。
【００３９】
１）看護師が、成形同時充てん容器の上部をねじって外し、存在するのであれば水分遮断シールを引き剥がす（さらに、ゴム製ストッパの上部の殺菌を、それが標準的な手順であれば実行する）。
２）殺菌済みのＩＶ投与セットのバッグが開かれる。
３）投与セットのＩＶスパイクが、ゴム製ストッパの上部へと挿入され、ゴム製ストッパを貫く。スパイクが完全に挿入されるとき、固体容器の底部ディスクがスパイクによって押し開かれ、今や固体および液体の室が連絡し、混合が可能になる。
４）固体および液体の室の中身が、容器を穏やかに揺らすことによって混合される。
５）看護師が、完全な溶解および粒子状物質の不在を保証するために、容器の中身を視覚的に検査する。
６）針が、パージ後に患者へと取り付けられ、ＩＶ注入を開始できる状態となる。
【００４０】
図４〜６に示したような本発明の別の実施の形態によるシステムの好ましい使用を、以下で時系列的に説明する。
【００４１】
１）看護師が、成形同時充てん容器の上部をねじって外す。
２）看護師が、ベローズ状のインサートを圧縮して、充てん済みの中身を希釈液の容器へと落下させ、今や固体および液体の室が連絡し、混合が可能になる。
３）固体および液体の室の中身が、容器を穏やかに揺らすことによって混合される。
４）看護師が、水分遮断（または、保護用）シールを引き剥がし、ゴム製ストッパの上部の殺菌を、それが標準的な手順であるならば実行する。 
４）殺菌済みのＩＶ投与セットのバッグが開かれる。投与セットのＩＶスパイクが、ゴム製ストッパの上部へと挿入され、ゴム製ストッパが貫かれる。
５）看護師が、完全な溶解および粒子状物質の不在を保証するために、容器の中身を視覚的に検査する。
６）針が、パージ後に患者へと取り付けられ、ＩＶ注入を開始できる状態となる。
【００４２】
例えば充てん済みのインサートが例えば経鼻の送入装置とともに使用される他の実施の形態においては、上述の工程の一部を、経鼻スプレー瓶などの適切な容器にインサートを収容し、あるいは他のやり方で組み合わせて、実行することができる。
【００４３】
さらに、本発明が上述した実施の形態に限られず、添付の特許請求の範囲の技術的範囲から離れることなく、多数のさまざまなやり方で変更が可能であることを、理解できるであろう。
【図１ａ】
2011530377.tif 000003
【図１ｂ】
2011530377.tif 000004
【図１ｃ】
2011530377.tif 000005
【図１ｄ】
2011530377.tif 000006
【図１ｅ】
2011530377.tif 000007
【図１ｆ】
2011530377.tif 000008
【図１ｇ】
2011530377.tif 000009
【図２ａ】
2011530377.tif 000010
【図２ｂ】
2011530377.tif 000011
【図３ａ】
2011530377.tif 000012
【図３ｂ】
2011530377.tif 000013
【図３ｃ】
2011530377.tif 000014
【図３ｄ】
2011530377.tif 000015
【図４ａ】
2011530377.tif 000016
【図４ｂ】
2011530377.tif 000017
【図４ｃ】
2011530377.tif 000018
【図４ｄ】
2011530377.tif 000019
【図４ｅ】
2011530377.tif 000020
【図４ｆ】
2011530377.tif 000021
【図４ｇ】
2011530377.tif 000022
【図４ｈ】
2011530377.tif 000023
【図５ａ】
2011530377.tif 000024
【図５ｂ】
2011530377.tif 000025
【図５ｃ】
2011530377.tif 000026
【図６ａ】
2011530377.tif 000027
【図６ｂ】
2011530377.tif 000028
【図６ｃ】
2011530377.tif 000029
【図６ｄ】
2011530377.tif 000030
【国際調査報告】
2011530377.tif 000031
2011530377.tif 000032
2011530377.tif 000033
2011530377.tif 000034